(57)【要約】【課題】  横方向に空間が無いような設置場所であっても、設置場所で組み立てることが可能な組立式箱体を提供する。【解決手段】  側板２は内側面の中央に前後方向に亘り把持手段１２を有し、その後端部に背板３に係合する舌片１２ｂを備え、背板３の対応する部位に舌片１２ｂを挿入するスリット３ｂを設けた。側板２を組み付け位置前方から底枠５に当接させながら後方へスライドさせることで、舌片１２ｂをスリット３ｂに挿入させ、挿入した舌片１２ｂを箱体１内部において背板３にネジ止めした。【選択図】  図５
2010267918.tif 000002
【特許請求の範囲】
【請求項１】
少なくとも、天板、背板、及び左右側板を有して各面を閉塞し、電気・電子機器や通信機器を収納する組立式箱体であって、
前記側板は、内側面の少なくとも１箇所に把持手段を有すると共に、後端部に前記背板に係合する係合部を有し、
組み付け位置前方から後方へスライド操作が可能であり、スライド操作により前記係合部が前記背板に係合して前記側板が前記背板に保持されることを特徴とする組立式箱体。
【請求項２】
前記背板の前記係合部対応部位に前記係合部を挿入するスリットを有すると共に、前記係合部が前記スリットに挿入する舌片である請求項１記載の組立式箱体。
【請求項３】
箱体底部を形成し、前記背板及び左右側板を支持する底枠を有し、当該底枠の側面に前記側板が当接して支持され、
前記側板は、組み付け位置前方から、前記底枠に当接させた状態で後方へスライドさせて組み付け位置への移動が可能である請求項１又は２記載の組立式箱体。
【請求項４】
前記把持手段は、前記側板の前後方向に亘り延設された矩形の棒体であり、側板に溶接により取り付けられた請求項１乃至３の何れかに記載の組立式箱体。
【請求項５】
前記係合部は、前記把持手段の後端部に連続形成される請求項４記載の組立式箱体。
【発明の詳細な説明】
【技術分野】
【０００１】
本発明は、電気・電子機器や通信機器等を収納するための箱体に関し、特に設置現場で組み立てることができる組立式箱体に関する。
【背景技術】
【０００２】
電気・電子機器や通信機器を収納する箱体は、収納する機器の重量に耐える強度を有するよう、また機器の発熱を考慮して設計されている。そのため、側板や天板等は強度を維持する為に重量が嵩んだし、部材の連結も面倒であった。
一方で、箱体は組み立ててから運搬したのでは運送コストが増大するし、設置場所までの搬入経路に狭い場所があったら搬入が難しい。そのため、設置現場で組み立てる箱体が提案されている。このような組立式箱体は、剛性を上げる為に通常はフレーム状の枠体を組み立て、その周囲に側板や天板を組み付けて箱体を形成していた（例えば、特許文献１参照）。
【先行技術文献】
【特許文献】
【０００３】
【特許文献１】特開平７−５９２１７号公報
【発明の概要】
【発明が解決しようとする課題】
【０００４】
しかしながら、箱体の設置現場には、電話やＬＡＮのダクトスペースとして設けたＥＰＳ室のような元々狭い作りの場所があり、そのような場所に対しては、上記構造の組立式箱体の設置は難しかった。
具体的に枠体の組み立てに際しては、ボルト止め等を行うために周囲に十分な作業空間が必要であるし、その後側板を組み付ける作業においても、側板を所定部位に配置するための空間が横方向に必要である。更に、所定部位に配置した側板をネジ止め等固定操作する際にも横方向に作業空間が必要である。そのため、箱体設置部の側方に壁が迫っているような設置現場での組み立ては困難であった。
【０００５】
そこで、本発明はこのような問題点に鑑み、横方向に空間が無いような設置場所であっても、設置場所で組み立てることが可能な組立式箱体を提供することを目的とている。
【課題を解決するための手段】
【０００６】
上記課題を解決する為に、請求項１の発明は、少なくとも、天板、背板、及び左右側板を有して各面を閉塞し、電気・電子機器や通信機器を収納する組立式箱体であって、前記側板は、内側面の少なくとも１箇所に把持手段を有すると共に、後端部に前記背板に係合する係合部を有し、組み付け位置前方から後方へスライド操作が可能であり、スライド操作により前記係合部が前記背板に係合して前記側板が前記背板に保持されることを特徴とする。
この構成によれば、側板は前方からのスライド操作により組み付けでき背板と係合させることができるし、側板に設けた把持手段を把持することで、作業者は側板を内側から操作でき、箱体設置部の側方に空間が無くても、側板をスムーズに組み付けることかできる。
【０００７】
請求項２の発明は、請求項１に記載の構成において、前記背板の前記係合部対応部位に前記係合部を挿入するスリットを有すると共に、前記係合部が前記スリットに挿入する舌片であることを特徴とする。
この構成によれば、スリットに舌片を挿入する簡易な構成で側板を位置決めでき、位置決めした状態を保持できるので、その後の連結作業がし易い。
【０００８】
請求項３の発明は、請求項１又は２に記載の構成において、箱体底部を形成し、前記背板及び左右側板を支持する底枠を有し、当該底枠の側面に前記側板が当接して支持され、前記側板は、組み付け位置前方から、前記底枠に当接させた状態で後方へスライドさせて組み付け位置への移動が可能であることを特徴とする。
この構成によれば、側板を前方からスライドさせる際、底枠にガイドさせて側板をスライドさせることができ、側板の設置操作が容易である。
【０００９】
請求項４の発明は、請求項３に記載の構成において、前記把持手段は、前記側板の前後方向に亘り延設された矩形の棒体であり、側板に溶接により取り付けられたことを特徴とする。
この構成によれば、把持手段を堅牢に形成できるので、把持手段により側板を補強することができる。よって、把持手段を設けるために別途補強部材を必要としない。
【００１０】
請求項５の発明は、請求項４に記載の構成において、前記係合部は、前記把持手段の後端部に連続形成されることを特徴とする。
この構成によれば、堅牢に形成した把持手段を介して側板を背板に連結するため、側板と背板との連結を堅牢なものにできる。
【発明の効果】
【００１１】
本発明によれば、側板は前方からのスライド操作により背板と係合させることができるし、側板に設けた把持手段を把持することで、作業者は側板を内側から操作でき、箱体設置部の側方に空間が無くても、側板をスムーズに組み付けることかできる。
【図面の簡単な説明】
【００１２】
【図１】本発明に係る組立式箱体の実施形態の一例を示す斜視図である。
【図２】底枠及び背板の構成示す説明図である。
【図３】Ａ部拡大図である。
【図４】Ｂ部拡大図である。
【図５】側板を取り付ける様子を示す斜視図である。
【図６】側板の固定形態を説明するための斜視図である。
【図７】Ｃ部拡大図である。
【図８】Ｄ部拡大図である。
【図９】天板の取り付けを説明する説明図である。
【図１０】図１の矢印で示す斜め下方向から見た説明図である。
【図１１】Ｅ部拡大図である。
【図１２】前面枠を取り付けた状態の斜視図である。
【発明を実施するための形態】
【００１３】
以下、本発明を具体化した実施の形態を、図面に基づいて詳細に説明する。図１は本発明に係る組立式箱体の一例を示す斜視図であり、箱体１は、側板（左側板２ａ、右側板２ｂ）２、背板３、天板４、底枠５により形成されている。各部材は鋼板により形成され、箱体１の開口している前面は図示しない扉により閉塞される。
尚、この実施例では、箱体１は、アジャスタ７を設けた箱状の架台６の上に組み付けられている。この架台６には、例えば収納した機器を冷却する為の冷却機器が収納される。
【００１４】
また、図２〜図１１は箱体１の各部材の構成及び組み立てを示す図であり、図２は背板３及び底枠５を架台６に組み付ける様子、図３はＡ部の拡大図、図４はＢ部の拡大図、図５は側板２を取り付ける様子、図６は側板２を取り付けた状態、図７はＣ部の拡大図、図８はＤ部の拡大図、図９は天板４を取り付ける様子、図１０は図１の矢印Ａ１で示す斜め下方向から見た図、図１１はＥ部の拡大図を夫々示している。
【００１５】
側板２は、図５に示すように箱体１の側面を閉塞する板体１０を有し、板体１０周囲各辺には板体１０の端部を折り曲げて形成した枠部１１が形成されている。この各辺のうち、上辺及び下辺は突起部がなく平坦に形成されている。そして、内面となる一方の面の略中央には、把持手段１２が取り付けられている。
把持手段１２は、鋼板を断面略コ字状に折り曲げて形成した３面を有し、側板２の幅（奥行き）と等しい長さを有している。そして、上に向けた中央の面には把持し易いように開口部１２ａが形成され、側面が板体１０に溶接されて側板２の補強部材としての機能を備えている。更に、把持手段１２の後側端部には、側板２を背板３に連結するための舌片１２ｂが突設されている。尚、他方の前側端部には、後述する前面枠を連結するための舌片１２ｃが突設されている。
【００１６】
背板３は、図２に示すように箱体１の背部を閉塞する板体３ａを有し、板体３ａ周囲は側板２を支持すると共に、収容する機器の重量に耐え得るための肉厚の枠体１５を備えている。枠体１５は、４辺が鋼板を折り曲げて形成され、各辺が板体３ａに溶接により固着されている。尚、側板２の舌片１２ｂに対応する枠体１５には、図７に示すように舌片１２ｂを挿入するスリット３ｂが形成されている。
【００１７】
天板４は、図９、図１０に示すように、箱体１上部を閉塞する板体４ａを有し、下面には補強のための枠体１６が取り付けられている。この枠体１６の４隅には、側板２及び背板３、更には後述する前面枠と連結するための連結片１７が設けられている。
また、天板４の左右側部は、板体４ａから連続形成した枠状の係合片４ｂが前後に亘り形成されている。この係合片４ｂは、天板４を組み付ける際に側板２上面に当接し、スライド挿入する際に活用される。
【００１８】
底枠５は、図２に示すように、鋼板を折り曲げて形成したフレーム体により各辺が構成され、配線やケーブルを挿通するための開口部２０ａを備えた底板２０を備えている。また底枠５の左右側面は、左右側板２ａ，２ｂ及び背板３の内面に当接するよう形成され、４隅には側板２や背板３と連結するための連結片２１が取り付けられている。この底枠５は、架台６にボルトにより固定される。
【００１９】
以下、箱体１の組み立て手順を説明する。最初に、箱体１の設置場所に架台６を配置し、この架台６に背板３及び底枠５を取り付ける。背板３は架台６上の所定位置にボルトにより固定され、その後底枠５が取り付けられる。底枠５は、図２〜図４に示すように、背板３に当接する所定位置に配置し、背板３及び架台６にボルト２３，２３，・・及びネジ２５，２５，・・により固定される。
【００２０】
次に、側板２を取り付ける。図５は左側側板２ａの取り付け操作を示し、図５の矢印Ａ２に示すように、架台６に載置して前方からスライドさせて所定位置に配置する。
架台６上の底枠５を取り付けた左右側部には、側板２を設置するための空間が設けられ、側板２をこの空間に載置し、底枠５の側部に当接させながら後方に平行移動させることで、側板２はスムーズに取り付け位置に移動する。このスライド操作は、把持手段１２を持つことで、作業者が側板２の内側から操作でき、簡易な操作で取り付け位置まで移動させることができる。
【００２１】
この操作で、側板２が背板３に当接する所定位置まで移動したら、図７の矢印Ａ３に示すように、舌片１２ｂが背板３のスリット３ｂに入り込んで係合する。この舌片１２ｂとスリット３ｂの係合で、側板２は所定位置での起立状態が保持される。その後、側板２は図７，８に示すように、背板３及び底枠５にネジ２５，２５，・・により固定され、双方に連結される。
また、側板２の下部は、後部だけでなく前部も底枠５にネジ止め（図示せず）され、右側側板２ｂも同様の操作で取り付けられ、ボルト２３、ネジ２５により連結される。
【００２２】
側板２を取り付けたら、次に天板４を取り付ける。天板４は図９の矢印Ａ４に示すように、後部を左右側板２ａ，２ｂに載置したら、スライドさせて所定の位置に移動する。具体的に、係合片４ｂの後部を側板２の上端に係合させたら、側板２の平坦な上面に案内されてスムーズに後方に移動し、天板４の後端部が背板３に当接する。
こうして、スライド操作が完了したら、図１０、図１１に示すように、天板４は背板３に連結片１７を介してボルト２３，２３により固定され、側板２にネジ２５により固定される。また、後部だけでなく前部も同様に連結片１７を介して側板２にネジ止めされる（図示せず）。
【００２３】
その後、図１２に示すように、側板２、天板３、底枠５で形成される開口枠に対して前面枠２２がネジ止め等で取り付けられ、更に図示しない扉が開閉可能に前面枠２２に蝶着される。この前面枠２２と背板３に形成された枠体１５により、箱体１は収納される機器に対して十分な強度を発揮する。
【００２４】
このように、側板２は前方からのスライド操作により組み付けでき背板３と係合させることができるので、箱体１設置部の側方に空間が無くても、側板２を組み付けることかできる。また、その際、作業者は側板２の内側面に設けた把持手段１２を把持して操作できるので、箱体１が比較的大きい場合でも側板２を容易に操作できる。そして、ボルトやネジによる連結操作も、全て箱体１内部で行うため、箱体１の外側に作業のためのスペースを必要としない。
また、背板３を枠体１５により補強することで、側板２の強度を背板に比べて下げて、軽量化することができるし、スリット３ｂに舌片１２ｂを挿入する簡易な構成で側板２を位置決めして保持できる。
更に、側板２を前方からスライドさせる際、底枠５にガイドさせて側板２をスライドさせれば良く、側板２の位置決めが容易である。
また、把持手段１２により側板を補強するので、把持手段１２を設けるために別途補強部材を必要としないし、堅牢に形成した把持手段１２を介して側板２を背板３に連結するため、連結を堅牢なものにできる。
【００２５】
尚、箱体１を架台６上に設置した構成を示しているが、架台６は無くても良い。この場合、架台６に取り付けられているアジャスタ７は底枠５に取り付けられる。
また、把持手段１２は側板の中央に１つ設けているが、箱体１の大きさや要求される強度に応じて上下２箇所或いはそれ以上設けても良い。
【符号の説明】
【００２６】
１・・箱体、２・・側板、３・・背板、３ｂ・・スリット、４・・天板、１１・・枠部、１２・・把持手段、１２ｂ・・舌片、１５，１６・・枠体。
【図１】
2010267918.tif 000003
【図２】
2010267918.tif 000004
【図３】
2010267918.tif 000005
【図４】
2010267918.tif 000006
【図５】
2010267918.tif 000007
【図６】
2010267918.tif 000008
【図７】
2010267918.tif 000009
【図８】
2010267918.tif 000010
【図９】
2010267918.tif 000011
【図１０】
2010267918.tif 000012
【図１１】
2010267918.tif 000013
【図１２】
2010267918.tif 000014